(57)【要約】【課題】縦線の不良を解決することができる液晶表示装置を提供する。【解決手段】本発明による液晶表示装置は、液晶層及びそれを挟持する二つの表示板を含む表示板部を備え、表示板部の周縁に沿って環状に配置される第１乃至第３の電圧線、表示板部の周縁に沿って環状に形成されていて第１乃至第３の電圧線の外側に各々配置される第４乃至第６の電圧線、第２の電圧線と第５電圧線との間に直列連結された複数のダイオードで構成される第１のダイオード群を備える第１のダイオード部、及び第３の電圧線と第６の電圧線との間に直列連結された複数のダイオードで構成される第２のダイオード群を含む第２のダイオード部を含み、データ線の電圧、前記第１のダイオード群の間の第１の接続点の電圧、第２のダイオード群の間の第２の接続点の電圧のうちからなる群から選択される少なくとも一つの電圧は、液晶の臨界電圧以下である。【選択図】図５
2006209124.tif 000002
【特許請求の範囲】
【請求項１】
液晶層及びそれを挟持する二つの表示板を含む表示板部を備える液晶表示装置において、
スイッチング素子を各々含む複数の画素、
前記スイッチング素子に連結されているゲート線及びデータ線、
前記ゲート線にゲート信号を印加するゲート駆動部、
前記データ線にデータ電圧を印加する駆動回路チップ、
前記データ線と前記駆動回路チップとの間を連結している複数の伝送ゲート、
前記表示板部の周縁に沿って環状に配置されている第１乃至第３の電圧線、
前記表示板部の周縁に沿って環状に形成されており、前記第１乃至第３の電圧線の外側に各々配置されている第４乃至第６の電圧線、
前記第２の電圧線と第５の電圧線との間に直列に連結されている複数のダイオードで構成されている第１のダイオード群を含む第１のダイオード部、及び
前記第３の電圧線と第６の電圧線との間に直列に連結されている複数のダイオードで構成されている第２のダイオード群を含む第２のダイオード部
を含み、
前記データ線の一端は前記第１のダイオード群の中に連結されており、前記データ線の他端は前記伝送ゲートを介して前記第２のダイオード群の中に連結されており、
前記データ線の電圧、前記第１のダイオード群の中の第１の接続点の電圧及び前記第２のダイオード群の中の第２の接続点の電圧からなる群から選択される少なくとも一つの電圧は、前記液晶の臨界電圧以下であることを特徴とする液晶表示装置。
【請求項２】
前記第１のダイオード群及び前記第２のダイオード群は、逆方向に連結されていることを特徴とする請求項１に記載の液晶表示装置。
【請求項３】
前記第１の接続点は、前記第５の電圧線に近い側に位置することを特徴とする請求項２に記載の液晶表示装置。
【請求項４】
前記第２の接続点は、前記第６の電圧線に近い側に位置することを特徴とする請求項２に記載の液晶表示装置。
【請求項５】
前記第１の接続点及び前記第２の接続点は、前記第５の電圧線及び前記第６の電圧線に近い側に各々位置することを特徴とする請求項２に記載の液晶表示装置。
【請求項６】
前記ダイオードは、入力端子と制御端子とが互いに連結されているトランジスタで構成され、遮断時の抵抗値が実質的に同一であることを特徴とする請求項３乃至５のいずれか一つに記載の液晶表示装置。
【請求項７】
前記第１の接続点及び前記第２の接続点は、前記第１のダイオード群及び前記第２のダイオード群の中央に各々位置することを特徴とする請求項２に記載の液晶表示装置。
【請求項８】
前記ダイオードは、入力端子と制御端子とが互いに連結されているトランジスタで構成され、
前記第１の接続点と前記第５の電圧線との間に位置するダイオードの抵抗値及び前記第２の接続点と前記第６の電圧線との間に位置するダイオードの抵抗値の少なくとも一方の値は、前記第２の接続点と前記第２の電圧線との間に位置するダイオードの抵抗値及び前記第２の接続点と前記第３の電圧線との間に位置するダイオードの抵抗値の少なくとも一方の値より小さいことを特徴とする請求項７に記載の液晶表示装置。
【請求項９】
前記スイッチング素子を導通させることができるゲートオン電圧と前記スイッチング素子を遮断させることができるゲートオフ電圧とを生成するゲート電圧生成部をさらに含むことを特徴とする請求項２に記載の液晶表示装置。
【請求項１０】
前記駆動回路チップは、前記ゲート電圧生成部を含むことを特徴とする請求項９に記載の液晶表示装置。
【請求項１１】
前記駆動回路チップは、前記表示板部にＣＯＧ方式で装着されていることを特徴とする請求項２に記載の液晶表示装置。
【請求項１２】
前記ゲート駆動部は、前記表示板部に集積されていることを特徴とする請求項２に記載の液晶表示装置。
【請求項１３】
前記第２の電圧線には、互いに反対方向に連結されている第１のダイオード及び第２のダイオードが連結され、
前記第３の電圧線には、互いに反対方向に連結されている第３のダイオード及び第４のダイオードが連結され、
前記第１のダイオード及び前記第２のダイオードは、前記第２の電圧線の外側及び前記第１のダイオード部の接続点の外側に各々位置し、
前記第３のダイオード及び前記第４のダイオードは、前記第３の電圧線の外側及び前記第２のダイオード部の接続点の外側に各々位置し、
前記第１のダイオード及び前記第２のダイオードと前記第３のダイオード及び前記第４のダイオードは、アノード端子で互いに連結されていることを特徴とする請求項１に記載の液晶表示装置。
【請求項１４】
前記第１のダイオード群及び前記第２のダイオード群は、逆方向に連結されていることを特徴とする請求項１３に記載の液晶表示装置。
【請求項１５】
前記第１の接続点は、前記第５の電圧線に近い側に位置することを特徴とする請求項１４に記載の液晶表示装置。
【請求項１６】
前記第２の接続点は、前記第６の電圧線に近い側に位置することを特徴とする請求項１４に記載の液晶表示装置。
【請求項１７】
前記第１の接続点及び前記第２の接続点は、前記第５の電圧線及び前記第６の電圧線に近い側に各々位置することを特徴とする請求項１４に記載の液晶表示装置。
【請求項１８】
前記ダイオードは、入力端子と制御端子とが互いに連結されているトランジスタで構成され、遮断時の抵抗値が実質的に同一であることを特徴とする請求項１５乃至１７のいずれか一つに記載の液晶表示装置。
【請求項１９】
前記第１の接続点及び前記第２の接続点は、前記第１のダイオード群及び前記第２のダイオード群の中央に各々位置することを特徴とする請求項１４に記載の液晶表示装置。
【請求項２０】
前記ダイオードは、入力端子と制御端子とが互いに連結されているトランジスタで構成され、
前記第１の接続点と前記第５の電圧線との間に位置するダイオードの抵抗値及び前記第２の接続点と前記第６の電圧線との間に位置するダイオードの抵抗値の少なくとも一方の値は、前記第２の接続点と前記第２の電圧線との間に位置するダイオードの抵抗値及び前記第２の接続点と前記第３の電圧線との間に位置するダイオードの抵抗値の少なくとも一方の値より小さいことを特徴とする請求項１９に記載の液晶表示装置。
【請求項２１】
前記スイッチング素子を導通させることができるゲートオン電圧と、前記スイッチング素子を遮断させることができるゲートオフ電圧とを生成するゲート電圧生成部をさらに含むことを特徴とする請求項１４に記載の液晶表示装置。
【請求項２２】
前記駆動回路チップは、前記ゲート電圧生成部を含むことを特徴とする請求項２１に記載の液晶表示装置。
【請求項２３】
前記駆動回路チップは、前記表示板部にＣＯＧ方式で装着されていることを特徴とする請求項１４に記載の液晶表示装置。
【請求項２４】
前記ゲート駆動部は、前記表示板部に集積されていることを特徴とする請求項１４に記載の液晶表示装置。
【請求項２５】
前記第２の電圧線には、第１の抵抗及び第２の抵抗が連結され、
前記第３の電圧線には、第３の抵抗及び第４の抵抗が連結され、
前記第１の抵抗及び前記第２の抵抗は、前記第２の電圧線の外側及び前記第１のダイオード部の接続点の外側に各々位置し、
前記第３の抵抗及び前記第４の抵抗は、前記第３の電圧線の外側及び前記第２のダイオード部の接続点の外側に各々位置することを特徴とする請求項１に記載の液晶表示装置。
【請求項２６】
前記第１のダイオード群及び前記第２のダイオード群は、逆方向に連結されていることを特徴とする請求項２５に記載の液晶表示装置。
【請求項２７】
前記第１の接続点は、前記第５の電圧線に近い側に位置することを特徴とする請求項２６に記載の液晶表示装置。
【請求項２８】
前記第２の接続点は、前記第６の電圧線に近い側に位置することを特徴とする請求項２６に記載の液晶表示装置。
【請求項２９】
前記第１の接続点及び前記第２の接続点は、前記第５の電圧線及び前記第６の電圧線に近い側に各々位置することを特徴とする請求項２６に記載の液晶表示装置。
【請求項３０】
前記ダイオードは、入力端子と制御端子とが互いに連結されているトランジスタで構成され、遮断時の抵抗値が実質的に同一であることを特徴とする請求項２７乃至２９のいずれか一つに記載の液晶表示装置。
【請求項３１】
前記第１の接続点及び前記第２の接続点は、前記第１のダイオード群及び前記第２のダイオード群の中央に各々位置することを特徴とする請求項２６に記載の液晶表示装置。
【請求項３２】
前記ダイオードは、入力端子と制御端子とが互いに連結されているトランジスタで構成され、
前記第１の接続点と前記第５の電圧線との間に位置するダイオードの抵抗値と前記第２の接続点と前記第６の電圧線との間に位置するダイオードの抵抗値の少なくとも一方の値は、前記第２の接続点と前記第２の電圧線との間に位置するダイオードの抵抗値と前記第２の接続点と前記第３の電圧線との間に位置するダイオードの抵抗値の少なくとも一方の値より小さいことを特徴とする請求項３１に記載の液晶表示装置。
【請求項３３】
前記スイッチング素子を導通させることができるゲートオン電圧と前記スイッチング素子を遮断させることができるゲートオフ電圧とを生成するゲート電圧生成部をさらに含むことを特徴とする請求項２６に記載の液晶表示装置。
【請求項３４】
前記駆動回路チップは、前記ゲート電圧生成部を含むことを特徴とする請求項３３に記載の液晶表示装置。
【請求項３５】
前記駆動回路チップは、前記表示板部にＣＯＧ方式で装着されていることを特徴とする請求項２６に記載の液晶表示装置。
【請求項３６】
前記ゲート駆動部は、前記表示板部に集積されていることを特徴とする請求項２６に記載の液晶表示装置。
【請求項３７】
前記第２の電圧線は、第１の断線部及び第２の断線部を有し、
前記第３の電圧線は、第３の断線部及び第４の断線部を有し、
前記第１の断線部及び前記第２の断線部は、前記第２の電圧線の外側及び前記第１のダイオード部の接続点の外側に各々位置し、
前記第３の断線部及び前記第４の断線部は、前記第３の電圧線の外側及び前記第２のダイオード部の接続点の外側に各々位置することを特徴とする請求項１に記載の液晶表示装置。
【請求項３８】
前記第１のダイオード群及び前記第２のダイオード群は、逆方向に連結されていることを特徴とする請求項３７に記載の液晶表示装置。
【請求項３９】
前記第１の接続点は、前記第５の電圧線に近い側に位置することを特徴とする請求項３８に記載の液晶表示装置。
【請求項４０】
前記第２の接続点は、前記第６の電圧線に近い側に位置することを特徴とする請求項３８に記載の液晶表示装置。
【請求項４１】
前記第１の接続点及び前記第２の接続点は、前記第５の電圧線及び前記第６の電圧線に近い側に位置することを特徴とする請求項３８に記載の液晶表示装置。
【請求項４２】
前記ダイオードは、入力端子と制御端子とが互いに連結されているトランジスタで構成され、遮断時の抵抗値が実質的に同一であることを特徴とする請求項３９乃至４１のいずれか一つに記載の液晶表示装置。
【請求項４３】
前記第１の接続点及び前記第２の接続点は、前記第１のダイオード群及び前記第２のダイオード群の中央に各々位置することを特徴とする請求項３８に記載の液晶表示装置。
【請求項４４】
前記ダイオードは、入力端子と制御端子とが互いに連結されているトランジスタで構成され、
前記第１の接続点と前記第５の電圧線との間に位置するダイオードの抵抗値と前記第２の接続点と前記第６の電圧線との間に位置するダイオードの抵抗値の少なくとも一方の値は、前記第２の接続点と前記第２の電圧線との間に位置するダイオードの抵抗値と前記第２の接続点と前記第３の電圧線との間に位置するダイオードの抵抗値の少なくとも一方の値より小さいことを特徴とする請求項４３に記載の液晶表示装置。
【請求項４５】
前記スイッチング素子を導通させることができるゲートオン電圧と前記スイッチング素子を遮断させることができるゲートオフ電圧とを生成するゲート電圧生成部をさらに含むことを特徴とする請求項３８に記載の液晶表示装置。
【請求項４６】
前記駆動回路チップは、前記ゲート電圧生成部を含むことを特徴とする請求項４５に記載の液晶表示装置。
【請求項４７】
前記駆動回路チップは、前記表示板部にＣＯＧ方式で装着されていることを特徴とする請求項３８に記載の液晶表示装置。
【請求項４８】
前記ゲート駆動部は、前記表示板部に集積されていることを特徴とする請求項３８に記載の液晶表示装置。
【発明の詳細な説明】
【技術分野】
【０００１】
本発明は液晶表示装置に関し、特に静電気保護回路を利用して縦線不良を解決できる液晶表示装置に関する。
【背景技術】
【０００２】
一般的な液晶表示装置（ＬＣＤ）は、画素電極及び共通電極が備えられた二つの表示板と、その間に配置される誘電率異方性を有する液晶層とからなる表示板部を備える。画素電極は、行列状に配置され、薄膜トランジスタ（ＴＦＴ）などのスイッチング素子に連結されて一行ずつ順次にデータ電圧が印加される。共通電極は、表示板の全面にわたって形成されて共通電圧が印加される。画素電極及び共通電極と両電極の間に配置される液晶層は、回路的には、液晶蓄積容量を形成し、液晶蓄積容量は、これに連結されたスイッチング素子と共に画素を構成する基本単位となる。
【０００３】
このような液晶表示装置では、二つの電極に電圧を印加して液晶層に電界を形成し、この電界の強さを調節し、液晶層を通過する光の透過率を調節することによって所望の画像を得る。この時、液晶層に一方向の電界が長く印加されることによって発生する劣化現象を防止するために、フレーム別、行別、またはドット別に共通電圧に対するデータ電圧の極性を反転させる。
【０００４】
液晶表示装置中、特に携帯電話などに使用される中型や小型の表示装置として、外部と内部の各々に表示板部が形成されたデュアル表示装置が盛んに開発されている。
【０００５】
このようなデュアル表示装置は、内部に装着される主表示板部、外部に装着される副表示板部、外部からの入力信号を伝達する配線が形成された駆動用の可撓性印刷回路基板（ＦＰＣ）、主表示板部と副表示板部とを連結する補助ＦＰＣ、及びこれらの動作を制御するための統合チップを備える。
【０００６】
この時、液晶表示装置は、スイッチング素子を備える画素と表示信号線が備えられた表示板、及び表示信号線のうち、ゲート線にゲートオン電圧とゲートオフ電圧を送り出して画素のスイッチング素子をオン／オフさせるゲート駆動部、表示信号線のうち、データ線にデータ電圧を送り出し、導通しているスイッチング素子を介して画素に印加するデータ駆動部を備え、統合チップは、主表示板部と副表示板部とのゲート駆動部とデータ駆動部を制御するための制御信号及び駆動信号を生成するもので、主に主表示板部にＣＯＧ（ガラス板上のチップ）形式に装着される。また、ゲート駆動部は、表示板部の片側に画素のスイッチング素子と同一工程で形成されて集積される場合がある。
【０００７】
一方、このような液晶表示装置を製造する過程では、静電気損傷防止のために、表示板部の周縁に沿って内側と外側に各々高電圧線と低電圧線とが配置される。高電圧線と低電圧線との間には複数のダイオードで構成される静電気損傷防止用ダイオード部を連結して、このダイオード部にデータ線を連結して表示板部の中央に浸透する静電気を一定の経路を通して外部に放出することによって表示板部を保護する。
【０００８】
このような高電圧線と低電圧線は、統合チップとゲート駆動部との間に連結されており、例えば、携帯電話の一般的な動作モードではゲートオン電圧とゲートオフ電圧とを各々伝達する。
【０００９】
統合チップは、表示板を動作させない待機モードでは、低電圧線には主に接地電位である０Ｖを印加し、高電圧線には２．８Ｖ乃至３Ｖを印加する。このようにすると、待機モードから動作モードに切り替わる時、相対的に高いゲートオン電圧が印加される場合に配線にかかる負荷を軽減でき、動作を速くすることができる。
【００１０】
しかし、ダイオードには漏洩性(リーク性)の高抵抗があり、逆バイアスの場合には、抵抗として働いて高電圧線と低電圧線との間の電圧を分配する分圧器として作用する。このため、静電気損傷防止用ダイオード部に連結されているデータ線にリーク電流が流れて画素のスイッチング素子を介して液晶蓄積容量に電圧がかかるようになる。そうすると液晶が動作して、画面が表示されない待機モードの場合にも、データ線に沿って縦線が現れ、縦線不良と判定される問題が生じる。
【発明の開示】
【発明が解決しようとする課題】
【００１１】
本発明の目的は、このような縦線不良を解決できる液晶表示装置を提供することである。
【課題を解決するための手段】
【００１２】
このような目的を達成するための本発明の一実施形態によれば、液晶層及びそれを挟持する二つの表示板を含む表示板部を備える液晶表示装置において、スイッチング素子を各々含む複数の画素、前記スイッチング素子に連結されているゲート線及びデータ線、前記ゲート線にゲート信号を印加するゲート駆動部、前記データ線にデータ電圧を印加する駆動回路チップ、前記データ線と前記駆動回路チップとの間を連結している複数の伝送ゲート、前記表示板部の周縁に沿って環状に配置されている第１乃至第３の電圧線、前記表示板部の周縁に沿って環状に形成されており、前記第１乃至第３の電圧線の外側に各々配置されている第４乃至第６の電圧線、前記第２の電圧線と第５の電圧線との間に直列に連結されている複数のダイオードで構成されている第１のダイオード群を含む第１のダイオード部、及び前記第３の電圧線と第６の電圧線との間に直列に連結されている複数のダイオードで構成されている第２のダイオード群を含む第２のダイオード部を含み、前記データ線の一端は前記第１のダイオード群の中に連結されており、前記データ線の他端は前記伝送ゲートを介して前記第２のダイオード群の中に連結されており、前記データ線の電圧、前記第１のダイオード群の中の第１の接続点の電圧及び前記第２のダイオード群の中の第２の接続点の電圧からなる群から選択される少なくとも一つの電圧は、前記液晶の臨界電圧以下である。ここで、前記第１のダイオード群及び前記第２のダイオード群は、逆方向に連結されるのが望ましい。
【００１３】
この時、前記第１の接続点を前記第５の電圧線に近い側に位置させたり、前記第２の接続点を前記第６の電圧線に近い側に位置させることができる。または、前記第１の接続点及び前記第２の接続点は、前記第５の電圧線及び前記第６の電圧線に近い側に各々位置させることができる。
【００１４】
一方、前記ダイオードは、入力端子と制御端子とが互いに連結されているトランジスタで構成され、遮断時の抵抗値が実質的に同一であることが望ましい。
【００１５】
また、前記第１の接続点及び前記第２の接続点は、前記第１のダイオード群及び前記第２のダイオード群の中央に各々位置させることができるが、この時、前記ダイオードは、入力端子と制御端子が互いに連結されているトランジスタで構成され、前記第１の接続点と前記第５の電圧線との間に位置するダイオードの抵抗値及び前記第２の接続点と前記第６の電圧線との間に位置するダイオードの抵抗値の少なくとも一方の値（例えば、最小値）は、前記第２の接続点と前記第２の電圧線との間に位置するダイオードの抵抗値及び前記第２の接続点と前記第３の電圧線との間に位置するダイオードの抵抗値の少なくとも一方の値（例えば、最大値）より小さいことが望ましい。
【００１６】
一方、前記液晶表示装置は、前記スイッチング素子を導通させることができるゲートオン電圧と前記スイッチング素子を遮断させることができるゲートオフ電圧とを生成するゲート電圧生成部をさらに含むことができ、前記駆動回路チップは、前記ゲート電圧生成部を含むことができる。
【００１７】
また、前記駆動回路チップは、前記表示板部にＣＯＧ方式で装着されてもよいし、前記ゲート駆動部は、前記表示板部に集積されてもよい。
【００１８】
一方、本発明の他の特徴による液晶表示装置は、前記第２の電圧線には互いに反対方向に連結されている第１のダイオード及び第２のダイオードが連結され、前記第３の電圧線には互いに反対方向に連結されている第３のダイオード及び第４のダイオードが連結され、前記第１のダイオード及び前記第２のダイオードは、前記第２の電圧線の外側及び前記第１のダイオード部の接続点の外側に各々位置し、前記第３のダイオード及び前記第４のダイオードは、前記第３の電圧線の外側及び前記第２のダイオード部の接続点の外側に各々位置し、前記第１のダイオード及び前記第２のダイオードと前記第３のダイオード及び前記第４のダイオードは、アノード端子で互いに連結される。ここで、前記第１のダイオード群及び前記第２のダイオード群は、逆方向に連結されるのが望ましい。
【００１９】
この時、前記第１の接続点を前記第５の電圧線に近い側に位置させたり、前記第２の接続点を前記第６の電圧線に近い側に位置させることができる。または、前記第１の接続点及び前記第２の接続点を前記第５の電圧線及び前記第６の電圧線に近い側に各々位置させることができる。
【００２０】
一方、前記ダイオードは、入力端子と制御端子とが互いに連結されるトランジスタで構成され、遮断時の抵抗値が実質的に同一であることが望ましい。
【００２１】
また、前記第１の接続点及び前記第２の接続点は、前記第１のダイオード群及び前記第２のダイオード群の中央に各々位置させることができるが、この時、前記ダイオードは、入力端子と制御端子が互いに連結されているトランジスタで構成され、前記第１の接続点と前記第５の電圧線との間に位置するダイオードの抵抗値及び前記第２の接続点及び前記第６の電圧線との間に位置するダイオードの抵抗値の少なくとも一方の値（例えば、最小値）は、前記第２の接続点と前記第２の電圧線との間に位置するダイオードの抵抗値及び前記第２の接続点と前記第３の電圧線との間に位置するダイオードの抵抗値の少なくとも一方の値（例えば、最大値）より小さいことが望ましい。
【００２２】
一方、前記液晶表示装置は、前記スイッチング素子を導通させることができるゲートオン電圧と前記スイッチング素子を遮断させることができるゲートオフ電圧とを生成するゲート電圧生成部をさらに含むことができ、前記駆動回路チップは、前記ゲート電圧生成部を含むことができる。
【００２３】
また、前記駆動回路チップは、前記表示板部にＣＯＧ方式で装着されてもよいし、前記ゲート駆動部は、前記表示板部に集積されてもよい。
【００２４】
また、本発明のさらに他の特徴による液晶表示装置は、前記第２の電圧線には、第１の抵抗及び前記第２の抵抗が連結され、前記第３の電圧線には、第３の抵抗及び前記第４の抵抗が連結され、前記第１の抵抗及び前記第２の抵抗は、前記第２の電圧線の外側及び前記第１のダイオード部の接続点の外側に各々位置し、前記第３の抵抗及び前記第４の抵抗は、前記第３の電圧線の外側及び前記第２のダイオード部の接続点の外側に各々位置する。ここで、前記第１のダイオード群及び前記第２ダイオード群は、逆方向に連結されることが望ましい。
【００２５】
この時、前記第１の接続点を前記第５の電圧線に近い側に位置させたり、前記第２の接続点を前記第６の電圧線に近い側に位置させることができる。または、前記第１の接続点及び前記第２の接続点を前記第５の電圧線及び前記第６の電圧線に近い側に各々位置させることができる。
【００２６】
一方、前記ダイオードは、入力端子と制御端子とが互いに連結されているトランジスタで構成され、遮断時の抵抗値が実質的に同一であることが望ましい。
【００２７】
また、前記第１の接続点及び前記第２の接続点は、前記第１のダイオード群及び前記第２のダイオード群の中央に各々位置させることができるが、この時、前記ダイオードは、入力端子と制御端子が互いに連結されているトランジスタで構成され、前記第１の接続点と前記第５の電圧線との間に位置するダイオードの抵抗値及び前記第２の接続点と前記第６の電圧線との間に位置するダイオードの抵抗値の少なくとも一方の値（例えば、最小値）は、前記第２の接続点と前記第２の電圧線との間に位置するダイオードの抵抗値と前記第２の接続点と前記第３の電圧線との間に位置するダイオードの抵抗値の少なくとも一方の値（例えば、最大値）より小さいことが望ましい。
【００２８】
一方、前記液晶表示装置は、前記スイッチング素子を導通させることができるゲートオン電圧と前記スイッチング素子を遮断させることができるゲートオフ電圧とを生成するゲート電圧生成部をさらに含むことができ、前記駆動回路チップは、前記ゲート電圧生成部を含むことができる。
【００２９】
また、前記駆動回路チップは、前記表示板部にＣＯＧ方式で装着されてもよいし、前記ゲート駆動部は、前記表示板部に集積されてもよい。
【００３０】
また、本発明のさらに他の特徴による液晶表示装置において、前記第２の電圧線は、第１の断線部及び第２の断線部を有し、前記第３の電圧線は、第３の断線部及び第４の断線部を有し、前記第１の断線部及び前記第２の断線部は、前記第２の電圧線の外側及び前記第１のダイオード部の接続点の外側に各々位置し、前記第３の断線部及び前記第４の断線部は、前記第３の電圧線の外側及び前記第２のダイオード部の接続点の外側に各々位置する。ここで、前記第１のダイオード群及び前記第２のダイオード群は、逆方向に連結されるのが望ましい。
【００３１】
この時、前記第１の接続点を前記第５の電圧線に近い側に位置させたり、前記第２の接続点を前記第６の電圧線に近い側に位置させることができる。または、前記第１の接続点及び前記第２の接続点を前記第５の電圧線及び前記第６の電圧線に近い側に各々位置させることができる。
【００３２】
一方、前記ダイオードは、入力端子と制御端子とが互いに連結されているトランジスタで構成され、遮断時の抵抗値が実質的に同一であることが望ましい。
【００３３】
また、前記第１の接続点及び前記第２の接続点は、前記第１のダイオード群及び前記第２のダイオード群の中央に各々位置することができるが、この時、前記ダイオードは、入力端子と制御端子が互いに連結されているトランジスタで構成され、前記第１の接続点と前記第５の電圧線との間に位置するダイオードの抵抗値と前記第２の接続点と前記第６の電圧線との間に位置するダイオードの抵抗値の少なくとも一方の値（例えば、最小値）は、前記第２の接続点と前記第２の電圧線との間に位置するダイオードの抵抗値と前記第２の接続点と前記第３の電圧線との間に位置するダイオードの抵抗値の少なくとも一方の値(例えば、最大値)より小さいことが望ましい。
【００３４】
一方、前記液晶表示装置は、前記スイッチング素子を導通させることができるゲートオン電圧と前記スイッチング素子を遮断させることができるゲートオフ電圧を生成するゲート電圧生成部とをさらに含むことができ、前記駆動回路チップは、前記ゲート電圧生成部を含むことができる。
【００３５】
また、前記駆動回路チップは、前記表示板部にＣＯＧ方式で装着されてもよいし、前記ゲート駆動部は、前記表示板部に集積されてもよい。
【発明の効果】
【００３６】
本発明により、同じ抵抗値を有するダイオード部にデータ線を非対称的に連結したり、対称的に連結したりして、トランジスタの特性を異ならせることでデータ線にかかる電圧を小さくでき、電流の観点ではリーク電流を軽減できる。
【００３７】
また、高電圧線を断線させたり、抵抗や逆方向ダイオードを配置することによって、高電圧線に印加される電圧を下げたり遮断したりして、データ線にかかる電圧を小さくできる。従って、データ線の電圧を液晶臨界電圧以下になるようにして縦線不良を予防することができる。
【発明を実施するための最良の形態】
【００３８】
以下では、添付図面を参照し、本発明の実施形態について、本発明の属する技術分野における通常の知識を有する者が容易に実施できるように詳細に説明する。
【００３９】
図面においては、多様な層及び領域を明確に示すために厚さを拡大して示した。明細書及び図面においては、全体にわたって類似する部分については同一符号を付した。層、膜、領域、板などの部分が他の部分の“上”にあるとする時、これは他の部分の“直上”にある場合だけでなく、それらの間に他の部分がある場合も含む。一方、ある部分が他の部分の“直上”にあるとする時には中央に他の部分がないことを意味する。
【００４０】
本発明の一実施形態に係る液晶表示装置について図を参照して詳細に説明する。
【００４１】
図１は、本発明の一実施形態に係る液晶表示装置の概略図であり、図２は、本発明の一実施形態に係る液晶表示装置のブロック図であり、図３は、本発明の一実施形態に係る液晶表示装置の一つの画素に対する等価回路図である。
【００４２】
図１に示したように、本発明の一実施形態に係る液晶表示装置は、主表示板部３００Ｍと副表示板部３００Ｓ、主表示板部３００Ｍに設けたＦＰＣ６５０、主表示板部３００Ｍと副表示板部３００Ｓとの間に設けた補助ＦＰＣ６８０、及び表示板部３００Ｍ上に装着された統合チップ７００を備える。
【００４３】
ＦＰＣ６５０は、主表示板部３００Ｍの一つの辺付近に設けられている。また、組立状態でＦＰＣ６５０を折り畳んだ時に副表示板部３００Ｓを露出させる開口部６９０を有する。開口部６９０の下側には外部からの信号が入力される入力部６６０が備えられ、その他、連結部６６０と統合チップ７００、統合チップ７００と主表示板部３００Ｍとの電気的連結のための複数の信号線（図示せず）を備えているが、これら信号線は統合チップ７００と連結される地点及び主表示板部３００Ｍに設けられる地点で大体は幅が広くなりパッド（図示せず）を形成する。また、本発明に関係する縦線不良防止機構は、前記複数の信号線の一部を利用し、データ線と結合されている。
【００４４】
補助ＦＰＣ６８０は、主表示板部３００Ｍの他の辺と副表示板部３００Ｓの一つの辺の間に設けられ、統合チップ７００と副表示板部３００Ｓとの電気的連結のための信号線（ＳＬ２、ＤＬ）を備える。
【００４５】
各表示板部３００Ｍ、３００Ｓは、画面をなす表示領域３１０Ｍ、３１０Ｓと周辺領域３２０Ｍ、３２０Ｓを含み、周辺領域３２０Ｍ、３２０Ｓには光を遮断するための遮光層（"ブラックマトリックス"、図示せず）を備えることができる。ＦＰＣ６５０及び補助ＦＰＣ６８０は、この周辺領域３２０Ｍ、３２０Ｓに設けられている。
【００４６】
図２に示したように、各表示板部３００Ｍ、３００Ｓは、複数のゲート線（Ｇ１〜Ｇｎ）と複数のデータ線（Ｄ１〜Ｄｍ）を含む複数の表示信号線と、これに連結されてほぼ行列状に配置された複数の画素、及びゲート線（Ｇ１〜Ｇｎ）に信号を供給するゲート駆動部４００を含み、画素と表示信号線（Ｇ１〜Ｇｎ、Ｄ１〜Ｄｍ）の大部分は、表示領域３１０Ｍ、３１０Ｓ内に位置し、ゲート駆動部４００Ｍ、４００Ｓは、周辺領域３２０Ｍ、３２０Ｓの枠内に各々位置する。ゲート駆動部４００Ｍ、４００Ｓが位置した側の周辺領域３２０Ｍ、３２０Ｓは、多少広い幅を有する。
【００４７】
また、図１に示したように主表示板部３００Ｍのデータ線（Ｄ１〜Ｄｍ）の一部は、補助ＦＰＣ６８０を介して副表示板部３００Ｓに連結される。つまり、二つの表示板部３００Ｍ、３００Ｓは、データ線（Ｄ１〜Ｄｍ）の一部を共有する形態であり、図面にはその中の一つ（ＤＬ）を示した。
【００４８】
表示信号線（Ｇ１〜Ｇｎ、Ｄ１〜Ｄｍ）は、ゲート信号（走査信号とも言う。）を伝達する複数のゲート線（Ｇ１〜Ｇｎ）とデータ信号を伝達するデータ線（Ｄ１〜Ｄｍ）とを含む。ゲート線（Ｇ１〜Ｇｎ）は、ほぼ行方向に伸ばされ互いにほぼ平行であり、データ線（Ｄ１〜Ｄｍ）は、ほぼ列方向に伸ばされ互いにほぼ平行である。表示信号線（Ｇ１〜Ｇｎ、Ｄ１〜Ｄｍ）は、ＦＰＣ６５０、６８０と連結される地点で大体に幅が広くなってパッド（図示せず）を形成し、表示板部３００Ｍ、３００ＳとＦＰＣ６５０、６８０とは、これらパッドの電気的接続のための異方性導電膜（図示せず）または半田付けによって付着されている。
【００４９】
各画素は、表示信号線（Ｇ１〜Ｇｎ、Ｄ１〜Ｄｍ）に連結されたスイッチング素子（Ｑ）とこれに連結された液晶蓄積容量（ＣＬＣ）及び蓄積容量（ＣＳＴ）を含む。蓄積容量（ＣＳＴ）は、必要に応じて省略することができる。
【００５０】
薄膜トランジスタなどのスイッチング素子（Ｑ）は、下部表示板１００に備えられ、三端子素子としてその制御端子及び入力端子は、各々ゲート線（Ｇ１〜Ｇｎ）及びデータ線（Ｄ１〜Ｄｍ）に連結されており、出力端子は、液晶蓄積容量（ＣＬＣ）及び蓄積容量（ＣＳＴ）に連結される。
【００５１】
図３に示したように、表示板部３００は、下部表示板１００と上部表示板２００及びその間の液晶層３を含み、表示信号線（Ｇ１〜Ｇｎ、Ｄ１〜Ｄｍ）とスイッチング素子（Ｑ）は、下部表示板１００に形成される。
【００５２】
液晶蓄積容量（ＣＬＣ）においては、下部表示板１００の画素電極１９０と上部表示板２００の共通電極２７０を二つの端子として、二つの電極１９０、２７０の間の液晶層３は、誘電体として機能する。画素電極１９０は、スイッチング素子（Ｑ）に連結され、共通電極２７０は、上部表示板２００の前面に形成され、共通電圧Ｖｃｏｍの印加を受ける。図３とは異なって、共通電極２７０が下部表示板１００に形成される場合もあり、この時には二つの電極１９０、２７０が全て線状または棒状に形成される。
【００５３】
蓄積容量（ＣＳＴ）においては、下部表示板１００に形成された別個の信号線（図示せず）と画素電極１９０とが重なって構成され、この別個の信号線には共通電圧Ｖｃｏｍなどの決められた電圧が印加される。ただし、蓄積容量（ＣＳＴ）においては、画素電極１９０が絶縁体を媒介として直上の前段ゲート線と重なった構成とすることも可能である。
【００５４】
一方、色表示を実現するため、各画素が色相を表示できるようにするべきであるが、これは画素電極１９０に対応する領域に三原色、例えば、赤、緑、及び青のカラーフィルター２３０を備えることによって可能となる。図３では、カラーフィルター２３０は、上部表示板２００に形成されているが、これとは異なって、カラーフィルター２３０を下部表示板１００の画素電極１９０上または下に形成することも可能である。
【００５５】
表示板部３００の二つの表示板１００、２００のうち、少なくとも一方の外側面には光を偏光させる偏光子（図示せず）が設けられている。
【００５６】
ゲート駆動部４００Ｍ、４００Ｓは、ゲート線（Ｇ１〜Ｇｎ）に連結されてスイッチング素子（Ｑ）を導通させることができるゲートオン電圧（Ｖｏｎ）とスイッチング素子（Ｑ）を遮断させることができるゲートオフ電圧（Ｖｏｆｆ）をゲート電圧生成部７５０から受信し、これらの組み合わせで構成されるゲート信号をゲート線（Ｇ１〜Ｇｎ）に印加する。ゲート駆動部４００Ｍ、４００Ｓは、画素のスイッチング素子（Ｑ）と同一工程で形成されて集積され、信号線ＳＬ１、ＳＬ２を介して統合チップ７００と各々連結される。
【００５７】
統合チップ７００は、連結部６６０とＦＰＣ６５０に備えられた信号線を通して外部の信号を受信して、処理した信号を主表示板部３００Ｍの周辺領域３２０Ｍと補助ＦＰＣ６８０に備えられた配線を通して主表示板部３００Ｍ及び副表示板部３００Ｓに供給することによって、これらを制御するが、図２に示したゲート電圧生成部７５０、階調電圧生成部８００、データ駆動部５００及び信号制御部６００などを含む。
【００５８】
階調電圧生成部８００は、画素の輝度と関係する一組または二組の複数段階調電圧を生成する。二組の場合、二組のうち一組は、共通電圧Ｖｃｏｍに対して正（＋）の値を有し、他の一組は、負（−）の値を有する。
【００５９】
データ駆動部５００は、表示板部３００の伝送ゲート（ＴＧ１〜ＴＧ６）を介してデータ線（Ｄ１〜Ｄｍ）に連結され、階調電圧生成部８００からの階調電圧を選択してデータ信号として画素に印加する。
【００６０】
信号制御部６００は、ゲート駆動部４００及びデータ駆動部５００などの動作を制御する。
【００６１】
このような液晶表示装置の表示動作について更に詳細に説明する。
【００６２】
信号制御部６００は、外部のＭＰＵ（図示せず）から入力映像信号（Ｒ、Ｇ、Ｂ）及びその表示を制御する入力制御信号、例えば、垂直同期信号Ｖｓｙｎｃと水平同期信号Ｈｓｙｎｃ、メインクロック（ＭＣＬＫ）、データイネーブル信号（ＤＥ）などの提供を受けて入力制御信号及び入力映像信号（Ｒ、Ｇ、Ｂ）に基づいてゲート制御信号（ＣＯＮＴ１）、データ制御信号（ＣＯＮＴ２）及びスイッチング制御信号（ＣＯＮＴ３）などを生成して入力映像信号（Ｒ、Ｇ、Ｂ）を表示板部３００の動作条件に合うように適切に処理した後、ゲート制御信号（ＣＯＮＴ１）をゲート駆動部４００Ｍ、４００Ｓのうち、一方に出力してデータ制御信号（ＣＯＮＴ２）と処理した映像データ（ＤＡＴ）をデータ駆動部５００に出力し、スイッチング制御信号（ＣＯＮＴ３）を伝送ゲート（ＴＧ１〜ＴＧ６）に出力する。
【００６３】
ゲート制御信号（ＣＯＮＴ１）は、ゲートオン電圧（Ｖｏｎ）の出力開始を指示する走査開始信号（ＳＴＶ）、ゲートオン電圧（Ｖｏｎ）の出力時期を制御するゲートクロック信号（ＣＰＶ）及びゲートオン電圧（Ｖｏｎ）の持続時間を限定する出力イネーブル信号（ＯＥ）などを含む。
【００６４】
データ制御信号（ＣＯＮＴ２）は、映像データ（ＤＡＴ）の入力開始を知らせる水平同期開始信号（ＳＴＨ）とデータ線（Ｄ１〜Ｄｍ）に当該データ電圧を印加するロード信号（ＬＯＡＤ）、共通電圧（Ｖｃｏｍ）に対するデータ電圧の極性（以下、共通電圧に対するデータ電圧の極性を“データ電圧の極性”と言う。）を反転させる反転信号（ＲＶＳ）及びデータクロック信号（ＨＣＬＫ）などを含む。
【００６５】
スイッチング制御信号（ＣＯＮＴ３）は、伝送ゲート（ＴＧ１〜ＴＧ６）の導通及び遮断を制御するために、ハイレベル及びローレベルを有する。
【００６６】
データ駆動部５００は、信号制御部６００からのデータ制御信号（ＣＯＮＴ２）によって一行の画素群に対応する映像データ（ＤＡＴ）を順次受信し、階調電圧生成部８００からの階調電圧のうち、各映像データ（ＤＡＴ）に対応する階調電圧を選択することによって、映像データ（ＤＡＴ）を当該データ電圧に変換して導通した伝送ゲート（ＴＧ１〜ＴＧ６）を介してデータ線（Ｄ１〜Ｄｍ）に印加する。
【００６７】
ゲート駆動部４００は、信号制御部６００からのゲート制御信号（ＣＯＮＴ１）によってゲートオン電圧（Ｖｏｎ）をゲート線（Ｇ１〜Ｇｎ）に印加し、このゲート線（Ｇ１〜Ｇｎ）に連結されたスイッチング素子（Ｑ）を導通させる。データ線（Ｄ１〜Ｄｍ）に供給されたデータ電圧は、導通したスイッチング素子（Ｑ）を介して当該画素に印加される。
【００６８】
画素に印加されたデータ電圧と共通電圧（Ｖｃｏｍ）との差は、液晶蓄積容量（ＣＬＣ）の充電電圧、つまり、画素電圧として現れる。液晶分子は、画素電圧の大きさによってその配列も変わる。そのために液晶層３を通過する光の偏光が変化する。このような偏光の変化は、表示板１００、２００に設けられた偏光子によって光の透過率変化として示される。
【００６９】
１水平周期（または“１Ｈ”）[水平同期信号（Ｈｓｙｎｃ）、データイネーブル信号（ＤＥ）、ゲートクロック（ＣＰＶ）の一周期]が終わると、データ駆動部５００とゲート駆動部４００は、次の行の画素に対して同一動作を繰り返す。このような方式で、１フレームの間、全てのゲート線（Ｇ１〜Ｇｎ）に対して順次ゲートオン電圧（Ｖｏｎ）を印加して全ての画素にデータ電圧を印加する。特に１フレームが終わると次のフレームが始まって各画素に印加されるデータ電圧の極性が以前のフレームでの極性と反対になるようにデータ駆動部５００に印加される反転信号（ＲＶＳ）の状態が制御される（"フレーム反転"）。この時、１フレームの内部であっても反転信号（ＲＶＳ）の特性によって一つのデータ線を通して流れるデータ電圧の極性が変わったり（例:列反転、点反転）、一つの画素行に印加されるデータ電圧の極性も互いに異なったりすることもありうる（例:行反転、点反転）。
【実施例１】
【００７０】
本発明の実施例１に係る液晶表示装置について、図４乃至図９を参照して詳細に説明する。
【００７１】
図４は、本実施例に係る液晶表示装置の概略図であり、図５は、図４に示した液晶表示装置を拡大して示した図である。
【００７２】
図４には、図１に示した主表示板部３００Ｍを示し、主表示板部３００Ｍの一例について説明する。
【００７３】
図４に示したように、主表示板部３００Ｍの下側に統合チップ７００が配置され、右側にはゲート駆動部４００Ｍが集積され、統合チップ７００とゲート駆動部４００Ｍの間には高電圧線３１、３１ａ、３１ｂと低電圧線３２、３２ａ、３２ｂが表示領域（ＤＡ）の外側の周辺領域に環状形態で連結されている。
【００７４】
第１の高電圧線３１および第１の低電圧線３２は、統合チップ７００右端とゲート駆動部４００Ｍ下端の間を連結し、第２の高電圧線３１ａおよび第２の低電圧線３２ａは、ゲート駆動部４００Ｍ上端から表示領域（ＤＡ）の上側と左側とを回って統合チップ７００左端までを連結し、第３の高電圧線３１ｂおよび第３の低電圧線３２ｂは、表示領域（ＤＡ）の下側を通って第１の高電圧線３１および第１の低電圧線３２と第２の高電圧線３１ａおよび第２の低電圧線３２ａとの間を連結している。この時、高電圧線３１、３１ａ、３１ｂは内回り、低電圧線３２、３２ａ、３２ｂは外回りに位置し、第１の高電圧線３１と第２の高電圧線３１ａ、第１の低電圧線３２と第２の低電圧線３２ａは、各々ゲート駆動部４００Ｍを介して互いに連結されている。
【００７５】
統合チップ７００の各伝送チャンネル３３には三個の伝送ゲート（ＴＧ）が連結され、各伝送ゲート（ＴＧ）には一つのデータ線（Ｄ１〜Ｄｍの一つ）が連結されている。
【００７６】
また、第２の高電圧線３１ａと第２の低電圧線３２ａとの間及び第３の高電圧線３１ｂと第３の低電圧線３２ｂとの間には各々ダイオード部３５、３６が連結されている。
【００７７】
ダイオード部３５は、第２の低電圧線３２ａから第２の高電圧線３１ａに逆方向に連結されている複数のダイオード（ｄ１〜ｄ４）をダイオード群として含み、ダイオード部３６も第３の低電圧線３２ｂから第３の高電圧線３１ｂに逆方向に連結されている複数のダイオード（ｄ５、ｄ６）をダイオード群として含む。
【００７８】
この時、ダイオード部３５に含まれるダイオード群の中（隣接ダイオードの接続点）にはデータ線（Ｄ１〜Ｄｍ）が連結され、ダイオード部３６には伝送チャンネル３３が連結されている。例えば、各データ線（Ｄ１〜Ｄｍ）は、対応する二つのダイオード（ｄ１、ｄ２）の中間接続点に連結され、各伝送チャンネル３３は、二つのダイオード（ｄ５、ｄ６）の中間接続点に連結されている。
【００７９】
このようにすれば、第２の高電圧線３１ａ及び第３の高電圧線３１ｂから第２の低電圧線３２ａ及び第３の低電圧線３２ｂに電流が流れず、静電気が表示板部３００Ｍの中央に浸透する場合、ダイオード（ｄ１〜ｄ４）の間またはダイオード（ｄ５、ｄ６）の間に連結されたデータ線（Ｄ１〜Ｄｍ）または伝送チャンネル３３を介して静電気が放出される。
【００８０】
ダイオード（ｄ１〜ｄ６）は、順電流が流れない時には抵抗として働き、二つのダイオード（ｄ１、ｄ２）の間の電圧値は、第２の高電圧線３１ａと第２の低電圧線３２ａとの間の値を４個のダイオードで分圧した値を有する。例えば、ダイオード（ｄ１〜ｄ６）が全て同一な抵抗値を有すると仮定できるならば、第２の高電圧線３１ａの電圧が３Ｖであり、第２の低電圧線３２ａの電圧が０Ｖである時、二つのダイオード（ｄ１、ｄ２）の間の接続点電圧値は、０．７５Ｖとなる。この電圧は、データ線（Ｄ１〜Ｄｍ）に印加されるから、液晶蓄積容量（ＣＬＣ）に同一電圧が充電される。しかし、液晶は、通常１Ｖ以上の範囲で動き始める臨界電圧を有するため、それ以下の電圧では動作しない。例えば、液晶表示装置がノーマリーブラックモードの場合には、０．７５Ｖでは液晶が動作しないため、画面には全体的に黒色だけが表示される。
【００８１】
従って、液晶表示装置、例えば、携帯電話が待機状態の場合にリーク電流によって液晶蓄積容量が充電されても画面に白い縦線が表示される縦線不良を生じない。
【００８２】
一方、ダイオード部３５と同様に、ダイオード部３６でもダイオードをさらに配置して伝送チャンネル３３を第３の低電圧線３２ｂに近く連結することができる。以下、ダイオード部３５に対する説明は、ダイオード部３６に対してもそのまま適用される。
【００８３】
図５では、ダイオード部３５、３６に４つのダイオード（ｄ１〜ｄ４）と２つのダイオード（ｄ５、ｄ６）を示したが、各々それ以上の数とすることができる。
【００８４】
このように、ダイオード（ｄ１〜ｄ４）が同一抵抗値を有する時、ダイオード（ｄ１〜ｄ４）の間にデータ線（Ｄ１〜Ｄｍ）を非対称的に連結すると、つまり、第２の低電圧線３２ａの近くに連結すると、データ線（Ｄ１〜Ｄｍ）にかかる電圧を液晶の臨界電圧以下にすることができる。
【実施例２】
【００８５】
図６Ａ及び図６Ｂは、本発明の実施例２に係るデータ線（Ｄ１〜Ｄｍ）のダイオード部３５に対する連結構造を示す。
【００８６】
図６Ａは、図５の場合とは異なって、データ線（Ｄ１〜Ｄｍ）の１本、例えば、第１のデータ線（Ｄ１）が二つのダイオード（ｄ２、ｄ３）の間に連結されている。つまり、ダイオード（ｄ２）とダイオード（ｄ３）との間の接続点を中心に同数のダイオードが位置する対称構造を有する。
【００８７】
この時、各ダイオード（ｄ１〜ｄ４）は、図６Ｂに示したように、ドレインとゲートが互いに連結されたダイオード接続型ＦＥＴとなった、例えば、ＮＭＯＳトランジスタ（Ｍ１〜Ｍ４）で実現される。このようなトランジスタ（Ｍ１〜Ｍ４）は、反転層チャネルの幅と長さを調節してドレイン電流を調節することができ、ドレイン電流を調節することで、抵抗値を調節することができる。つまり、ドレイン電流は、反転層チャネルの幅に比例し長さに反比例するため、トランジスタ（Ｍ１、Ｍ２）の反転層チャネルの幅をトランジスタ（Ｍ３、Ｍ４）より大きくしてトランジスタ（Ｍ１、Ｍ２）の抵抗値を小さくするとで、図５に示した電圧値と同一の電圧値を得ることができる。
【実施例３】
【００８８】
本実施例３においては、実施例２とは異なって、第２の高電圧線３１ａ及び第２の高電圧線３１ｂにかかる電圧自体を遮断したり、減少させてデータ線（Ｄ１〜Ｄｍ）にかかる電圧を下げたりすることができる。これについて、図７乃至図９を参照して詳細に説明する。
【００８９】
図７乃至図９は、本発明の実施例３に係る液晶表示装置の構造を示した図である。
【００９０】
図７は、第２の高電圧線３１ａ及び第３の高電圧線３１ｂにダイオード（ｄ７〜ｄ１４）を配置した図であり、図８は、第２の高電圧線３１ａ及び第３の高電圧線３１ｂに抵抗（Ｒ１〜Ｒ４）を配置した図であり、図９は、第２の高電圧線３１ａ及び第３の高電圧線３１ｂを断線した図である。
【００９１】
図７では、統合チップ７００は、右側反時計回り、つまり、ゲート駆動部４００Ｍ側に一定の電圧、前記例の３Ｖを印加する一方、左側時計方向にも一定の電圧を印加する。そうすれば、この電圧は、反時計回りにはゲート駆動部４００Ｍを通過して第２の高電圧線３１ａに伝達され、時計回りにはそのまま第２の高電圧線３１ａに伝達される。しかし、右側反時計回りには電圧が印加される方向と逆方向に連結されるダイオード（ｄ１３、ｄ１４）が位置し、また、ゲート駆動部４００Ｍの出力側にも逆方向にダイオード（ｄ９、ｄ１０）が位置する。また、左側時計回りには電圧が印加される方向に逆方向ダイオード（ｄ１１、ｄ１２）が位置し、少し下がってもまた逆方向ダイオード（ｄ７、ｄ８）が位置する。
【００９２】
従って、どの方向でも逆方向に位置したダイオード（ｄ７〜ｄ１４）によって第２の高電圧線３１ａ及び第３の高電圧線３１ｂには電圧が印加されず、実質的に図９に示したように電位がフローティング状態になる。そのため、第２の高電圧線３１ａ及び第３の高電圧線３１ｂに流れる少しのリーク電流を勘案してもダイオード部３５、３６に連結されている前記データ線（Ｄ１〜Ｄｍ）にかかる電圧を液晶の臨界電圧以下にすることができる。
【実施例４】
【００９３】
図８は、図７に示したダイオード（ｄ７〜ｄ１４）の位置に抵抗を配置する。そのため、第２の高電圧線３１ａ及び第３の高電圧線３１ｂには抵抗（Ｒ１〜Ｒ４）による電圧降下で前例の３Ｖより小さい電圧がかかり、そのためにデータ線（Ｄ１〜Ｄｍ）にかかる電圧が小さくなる。
【００９４】
一方、図７乃至図９に示した場合には、前記の図５乃至図６Ｂに示した実施例２を合わせて適用することができる。例えば、図７に示した実施例３の場合、ダイオード３５、３６に連結されるデータ線（Ｄ１〜Ｄｍ）の位置を非対称にすることができる。
【００９５】
以上、本発明の望ましい実施例について詳細に説明したが、本発明の権利範囲はこれに限定されることなく、特許請求の範囲に記載する本発明の基本概念を利用した当業者の多様な変形及び改良形態も本発明の権利範囲に属するものとする。
【図面の簡単な説明】
【００９６】
【図１】本発明の一実施形態に係る液晶表示装置を示した概略図である。
【図２】本発明の一実施形態に係る液晶表示装置を示したブロック図である。
【図３】本発明の一実施形態に係る液晶表示装置の一つの画素に対する等価回路図である。
【図４】図１に示した主表示板部を示したブロック図である。
【図５】図４に示したダイオード部を示した拡大図である。
【図６Ａ】本発明の一実施例に係るダイオード部を示した回路図である。
【図６Ｂ】本発明の一実施例に係るダイオード部を示した回路図である。
【図７】本発明の一実施例に係るダイオード部を示した回路図である。
【図８】本発明の一実施例に係るダイオード部を示した回路図である。
【図９】本発明の一実施例に係る液晶表示装置を示した回路図の例である。
【符号の説明】
【００９７】
３      液晶層
３１、３１ａ、３１ｂ      高電圧線
３２、３２ａ、３２ｂ      低電圧線
３５、３６      ダイオード部
１００      下部表示板
１９０      画素電極
２００      上部表示板
２３０      カラーフィルター
２７０      共通電極
３００、３００Ｍ、３００Ｓ      表示板部
４００、４００Ｍ、４００Ｓ      ゲート駆動部
５００      データ駆動部
６００      信号制御部
６５０      ＦＰＣ
６６０      連結部
６８０      補助ＦＰＣ
６９０      開口部
７００      統合チップ
７５０      ゲート電圧生成部
８００      階調電圧生成部
ＴＧ      伝送ゲート
Ｒ、Ｇ、Ｂ      入力映像データ
ＤＥ      データイネーブル信号
ＭＣＬＫ      メインクロック
Ｈｓｙｎｃ      水平同期信号
Ｖｓｙｎｃ      垂直同期信号
ＣＯＮＴ１      ゲート制御信号
ＣＯＮＴ２      データ制御信号
ＤＡＴ      出力映像データ
ＣＬＣ      液晶蓄積容量
ＣＳＴ      蓄積容量
Ｑ      スイッチング素子
【図１】
2006209124.tif 000003
【図２】
2006209124.tif 000004
【図３】
2006209124.tif 000005
【図４】
2006209124.tif 000006
【図５】
2006209124.tif 000007
【図６Ａ】
2006209124.tif 000008
【図６Ｂ】
2006209124.tif 000009
【図７】
2006209124.tif 000010
【図８】
2006209124.tif 000011
【図９】
2006209124.tif 000012